(57)【要約】      （修正有）【課題】それを見た人の心を楽しくさせてなごませることにより、その人の心に余裕を持たせたり、その人の心を明るくしたりすることができるコミックシート部材を提供する。【解決手段】表裏両面を有するシート部材の表面又は両面に、有名人を連想させるような姿形が表示されており、この姿形の顔の部分に、当該シート部材を使用する人の似顔絵を表示する領域を設けた。【選択図】図１
0003171939.tif 000002
【実用新案登録請求の範囲】
【請求項１】
表裏両面を有するシート部材の表面又は両面に、有名人を連想させるような姿形が表示されており、この姿形の顔の部分に、当該シート部材を使用する人の似顔絵を表示する領域を設けたことを特徴とするコミックシート部材。
【請求項２】
前記姿形の近くに、前記有名人の名前に滑稽に似せたニックネームを表示する領域を設けたことを特徴とする請求項１に記載のコミックシート部材。
【請求項３】
表裏両面を有するシート部材の表面又は両面に、動物の絵が表示されると共に、この動物の絵の隣りに同様の動物の絵が表示され、この隣りの動物の絵の顔の部分に、当該シート部材を使用する人の似顔絵を表示する領域を設けたことを特徴とするコミックシート部材。
【請求項４】
表裏両面を有するシート部材の表面又は両面に、人の顔を含んだ縁起が良い絵が表示されており、この絵の中の人の顔の部分に、当該シート部材を使用する人の似顔絵を表示する領域を設けたことを特徴とするコミックシート部材。
【請求項５】
前記縁起が良い絵の近くに、当該縁起が良い絵の大袈裟なタイトルを表示する領域を設けたことを特徴とする請求項４に記載のコミックシート部材。
【請求項６】
前記シート部材が、紙、布、プラスチック、金属等のいずれか１つ又は複数の材料により形成されたことを特徴とする請求項１から５のいずれかに記載のコミックシート部材。
【考案の詳細な説明】
【技術分野】
【０００１】
本考案は、例えばそれを見た人の心がなごんで、人の心を明るくコミックな気持ちにさせることができるコミックシート部材に関するものである。
【背景技術】
【０００２】
従来は、例えば、ラベル、シール、或いは名刺等の、シート状の部材（シート部材）が、それぞれの目的に応じて、それぞれの使用方法で使用されていた。
【考案の開示】
【考案が解決しようとする課題】
【０００３】
しかしながら、従来は、人の心がなごむようには特に工夫されていない、単なる在り来たりのラベルやシール、或いは名刺等を使用していただけなので、それらを見た人の心を明るくコミックな気持ちにさせることはできなかった。
【０００４】
このため、ラベルやシール、或いは名刺等のシート部材を見た人の心を楽しくさせたりなごませたりすることができないことにより、その人の心に余裕を持たせたり、その人の心を明るくしたりすることができないという問題があった。
【０００５】
そこで本考案は、上記問題点に鑑みて、それを見た人の心を楽しくさせてなごませることにより、その人の心に余裕を持たせたり、その人の心を明るくしたりすることができるようなコミックシート部材を提供することを課題とするものである。
【課題を解決するための手段】
【０００６】
上記課題を解決するために、本考案によるコミックシート部材は、
表裏両面を有するシート部材の表面又は両面に、有名人を連想させるような姿形が表示されており、この姿形の顔の部分に、当該シート部材を使用する人の似顔絵を表示する領域を設けたことを特徴とするものである。
【０００７】
また、本考案によるコミックシート部材は、
前記姿形の近くに、前記有名人の名前に滑稽に似せたニックネームを表示する領域を設けたことを特徴とするものである。
【０００８】
また、本考案によるコミックシート部材は、
表裏両面を有するシート部材の表面又は両面に、動物の絵が表示されると共に、この動物の絵の隣りに同様の動物の絵が表示され、この隣りの動物の絵の顔の部分に、当該シート部材を使用する人の似顔絵を表示する領域を設けたことを特徴とするものである。
【０００９】
また、本考案によるコミックシート部材は、
表裏両面を有するシート部材の表面又は両面に、人の顔を含んだ縁起が良い絵が表示されており、この絵の中の人の顔の部分に、当該シート部材を使用する人の似顔絵を表示する領域を設けたことを特徴とするものである。
【００１０】
また、本考案によるコミックシート部材は、
前記縁起が良い絵の近くに、当該縁起が良い絵の大袈裟なタイトルを表示する領域を設けたことを特徴とするものである。
【００１１】
また、本考案によるコミックシート部材は、
前記シート部材が、紙、布、プラスチック、金属等のいずれか１つ又は複数の材料により形成されたことを特徴とするものである。
【考案の効果】
【００１２】
本考案による、コミックシート部材によれば、
表裏両面を有するシート部材の表面又は両面に、有名人を連想させるような姿形が表示されており、この姿形の顔の部分に、当該シート部材を使用する人の似顔絵を表示する領域を設けたことにより、
コミックシート部材を見た人の心を楽しくさせてなごませることにより、その人の心に余裕を持たせたり、その人の心を明るくしたりすることができる。
【図面の簡単な説明】
【００１３】
【図１】本考案のコミックシート部材の第１の実施の形態に係るラベルの表面に描かれた有名人を連想させるような姿形を示す図である。
【図２】本考案のコミックシート部材の第２の実施の形態に係るラベルの表面に描かれた有名人を連想させるような姿形を示す図である。
【図３】本考案のコミックシート部材の第３の実施の形態に係るラベル２の表面に二頭の虎が描かれたそのラベル２を示す図である。
【図４】本考案のコミックシート部材の第４の実施の形態に係る名刺６の表面に二頭の虎が描かれたその名刺６を示す図である。
【図５】本考案のコミックシート部材の第５の実施の形態に係るラベル４の表面に二匹のネズミが描かれたそのラベル４を示す図である。
【図６】本考案のコミックシート部材の第６の実施の形態に係る名刺８の表面に二匹のネズミが描かれたその名刺８を示す図である。
【図７】本考案のコミックシート部材の第７の実施の形態に係るラベルの表面に描かれた縁起が良い富士山の絵に似顔絵が描き込まれる前の状態を示す図である。
【図８】本考案のコミックシート部材の第７の実施の形態に係るラベルの表面に描かれた縁起が良い富士山の絵に似顔絵が描き込まれた後の状態を示す図である。
【図９】本考案のコミックシート部材の第８の実施の形態に係るラベルの表面に描かれた縁起が良い打ち出の小槌に施された黄金八福神の絵に似顔絵が描き込まれる前の状態を示す図である。
【図１０】本考案のコミックシート部材の第８の実施の形態に係るラベルの表面に描かれた縁起が良い打ち出の小槌に施された黄金八福神の絵に似顔絵が描き込まれた後の状態を示す図である。
【考案を実施するための形態】
【００１４】
以下、本考案に係るコミックシート部材の実施の形態について、図面に基づいて具体的に説明する。
図１は、本考案の第１の実施の形態に係るコミックシート部材について説明するために参照する図である。
【００１５】
本考案の第１の実施の形態は、ラベル（コミックシート部材）の表面に、図１に示すような、毎朝テレビ番組に出てくる有名な司会者（有名人）を連想させるような姿形が描かれており、この姿形の顔の部分にこのラベルを使用する人の似顔絵が描かれている。
【００１６】
このラベルを使用する人の似顔絵は、その人がそのラベルを注文して作ってもらうときに業者に渡す、その人の自分の顔写真に基づいて描かれる。そして、このようにして描かれる似顔絵は、少なくとも似顔絵を描くことを専門とするプロ（プロフェッショナル）のイラストレータにより描かれるようになっている。
【００１７】
このように、ラベルを使用する人の似顔絵が、ラベルに描かれた上記有名人を連想させるような姿形の顔の部分に描かれていることにより、ラベルを使用する人の人柄とか夢が、その有名人のイメージと結合（ドッキング）されて、ラベルを使用する人の人柄がとてもユーモアに溢れた、話術に優れた、やりてな、人気者のイメージを有するものとなり、その人の夢もそのようなイメージを醸し出すものとなり、そのような印象を与えるものとなる。
【００１８】
そして、ラベルに描かれた上記有名人を連想させるような姿形の下方には、その有名人の名前を滑稽に似せた、『みんなもんた』のニックネームの文字が表示されている。このようなニックネームを見た人は、そのラベルを使用している人を良く知っている場合は、その有名人の名前を滑稽に似せたニックネームを見て、思わずプッと吹き出して笑ってしまう。
【００１９】
それを見た他の人も寄ってきて、そのラベルを見てやはり思わずプッと吹き出して笑ってしまう。大勢の人が集まって来て、同様にプッと吹き出して笑ってしまい、そのラベルを使用した人が、その集まって来た人達の前で、「これからは俺のことを『みんなもんた』と呼んでくれ」などと言ってポーズをとろうものなら、大勢の人達が大爆笑してその場が盛り上がることは間違いない。
【００２０】
このように、本考案の第１の実施の形態によれば、ラベルを見た人の心を楽しくさせてなごませることにより、その人の心に余裕を持たせたり、その人の心を明るくしたりすることができる。このため、ラベルを使用して沢山の人にそれを見せた人は、皆に喜ばれて大歓迎されると共に、その行為が皆に受けて、上記有名人のように本当に人気者になることができる。
【００２１】
そしてこのようなことを通して、ラベルに似顔絵が描かれている人を知らない人までも「あの人は一体何者なんだろう」と思い始めて、その人達の注目をも浴びることになり、ラベルを使用した人が多くの人達に広く紹介されたり、広く知れわたったりすることができる。
【００２２】
このため、ラベルに似顔絵が描かれている人がそのラベルを使用した行為は、その使用した人の社会的地位の高さを象徴する行為として名誉な地位を獲得することができ、そのようなステータスシンボルとしての地位を大きく飛躍させることができる。
【００２３】
ところで、上記実施の形態に係るラベルには、紙、布、合成樹脂、又は金属等のいずれか１つ、又は複数の材料を用いることができる。
【００２４】
そして、このようなラベルは、学生が自分のカバンとか、携帯電話機とか、他の持ち物などにベタベタ貼って面白がることができる他、大人でも家の中の色々な物の目印とか、職場でも仕事で使うものを他の人のものと区別するため等の目的で用いることができる。
【００２５】
図２は、本考案の第２の実施の形態に係るコミックシート部材について説明するために参照する図である。
【００２６】
本考案の第２の実施の形態は、ラベルの表面に、図２に示すような、特に中年の奥様たちに人気があり、やはりよくテレビ番組に出てくる漫談家（しゃべくりで人を笑わせるエンタティナー、有名人）を連想させるような姿形が描かれていて、この姿形の顔の部分にこのラベルを使用する人の似顔絵が描かれている。
【００２７】
このラベルを使用する人の似顔絵も、その人がそのラベルを注文して作ってもらうときに業者に渡すその人の顔写真に基づいて描かれると共に、プロのイラストレータにより描かれるようになっている。
【００２８】
このように、ラベルを使用する人の似顔絵が、ラベルに描かれた上記有名人を連想させるような姿形の顔の部分に描かれていることにより、ラベルを使用する人の人柄とか夢が、その有名人のイメージと結合されて、ラベルを使用する人の人柄が、とてもユーモアに溢れた、話術に優れた、研究家で、人気者のイメージを有するものとなり、その人の夢もそのようなイメージを醸し出すものとなり、そのような印象を与えるものとなる。
【００２９】
そして、ラベルに描かれた上記有名人を連想させるような姿形の下方には、その有名人の名前に滑稽に似せた『絢野公路（あやのこうじ）まろまろ』のニックネームの文字が表示されている。このようなラベルのニックネームを見た人は、そのラベルを使用している人を良く知っている場合は、その有名人の名前に滑稽に似せたニックネームを見て、思わずプッと吹き出して笑ってしまう。
【００３０】
それを見た他の人も寄ってきて、そのラベルを見てやはり思わずプッと吹き出して笑ってしまう。大勢の人が集まって来て、同様にプッと吹き出して笑ってしまい、そのラベルを使用している人が、その集まって来た人達の前で、「これからは俺のことを『絢野公路まろまろ』と呼んでくれ」などと言ってポーズをとろうものなら、大勢の人達が大爆笑してその場が盛り上がることは間違いない。
【００３１】
このように、本考案の第２の実施の形態によっても、ラベルを見た人の心を楽しくさせてなごませることにより、その人の心に余裕を持たせたり、その人の心を明るくしたりすることができる。このため、ラベルを使用して沢山の人にそれを見せた人は、皆に喜ばれて大歓迎されると共に、その行為が皆に受けて、上記有名人のように本当に人気者になることができる。
【００３２】
有名人の似顔絵には、『みんなもんた』や『絢野公路まろまろ』から連想される有名人の他にも、好きな有名人を選べるように、その有名人を連想させるような姿形は、その顔の部分を除いて描かれたものが沢山用意されており、この姿形の顔の部分に、似顔絵を描くことを商売とするプロのイラストレータが、そのラベルの作成を注文した人（ラベルを使用する人）の似顔絵を描いてくれるようになっている。
【００３３】
図３は、本考案の第３の実施の形態に係るラベル２（コミックシート部材）について説明するために参照する図である。
【００３４】
本考案の第３の実施の形態に係るラベル２は、その表面に、図３に示すような、強そうな２頭の虎の絵が並んで表示されており、その２頭のうちの一方（図中右方）の虎の顔はそれらしく描かれているが、その隣りの他方（図中左方）の虎の顔には、虎の顔の代わりに、ラベル２を使用する人の似顔絵が描かれて表示されるようになっている。
【００３５】
このラベル２を使用する人の似顔絵も、その人がそのラベル２を注文して作ってもらうときに業者に渡すその人の顔写真に基づいて描かれると共に、プロのイラストレータにより描かれるようになっている。
【００３６】
このように、ラベル２を使用する人の似顔絵が、一方（図３中右方）の虎の絵と隣合わせて表示された、他方（図３中左方）の虎の顔として描かれることにより、そのラベル２を使用している人の人柄や夢が、虎のイメージと結合されて、ラベル２を使用する人の人柄が虎のようにとても強そうなイメージとなり、その人の夢もとても強そうな印象を与えるものとなる。
【００３７】
そして、ラベル２に描かれた二頭の虎のうちの他方（図３中左方）の虎の顔には、そのラベル２を使用している人の似顔絵が描かれているので、このようなラベル２の他方の虎の顔の中の似顔絵を見た人は、そのラベル２を使用している人を良く知っている場合は、そのラベル２の虎の顔の中の似顔絵と本人の顔をまじまじと見比べて、思わずプッと吹き出して笑ってしまう。
【００３８】
それを見た他の人も寄ってきて、そのラベル２の虎の顔の中の似顔絵と本人の顔を見比べて、やはり思わずプッと吹き出して笑ってしまう。大勢の人が集まって来て、同様にプッと吹き出して笑ってしまい、そのラベル２を使用した人が、その集まって来た人達の前で、「これからは俺のことを『寅さん』と呼んでくれ」などと言ってポーズをとろうものなら、大勢の人達が大爆笑してその場が盛り上がることは間違いない。
【００３９】
このように、本考案の第３の実施の形態によっても、ラベル２を見た人の心を楽しくさせてなごませることにより、その人の心に余裕を持たせたり、その人の心を明るくしたりすることができる。このため、ラベル２を使用して沢山の人にそれを見せた人は、皆に喜ばれて大歓迎されると共に、その行為が皆に受けて、上記有名人のように本当に人気者になることができる。
【００４０】
図４は、本考案の第４の実施の形態に係る名刺６（コミックシート部材）について説明するために参照する図である。
【００４１】
本考案の第４の実施の形態に係る名刺６は、その表面の中心部には、例えば、「幸福太郎」などの名前を記載することができ、図４に示すように、その名刺６の上方の位置には、強そうな２頭の虎の絵が並んで表示されている。
【００４２】
一方（図４中右方）の虎の顔はそれらしく描かれているが、その隣りの他方（図４中左方）の虎の顔には、虎の顔の代わりに、名刺６を使用する人の似顔絵が描かれて表示されている。
【００４３】
このように、名刺６を使用する人の似顔絵が、一方（図４中右方）の虎の絵と隣合わせて表示された他方（図４中左方）の虎の顔として描かれることにより、名刺６を使用する人の人柄や夢が、虎のイメージと結合されて、名刺６を使用する人の人柄が虎のようにとても強そうなイメージとなり、その人の夢もとても強そうな印象を与えるものとなる。
【００４４】
そして、名刺６に描かれた二頭の虎のうちの他方（図４中左方）の虎の顔には、その名刺６を使用している人の似顔絵が描かれているので、このような名刺６の他方の虎の顔の中の似顔絵を見た人は、その名刺６を使用している人を良く知っている場合は、その名刺６の虎の顔の中の似顔絵と本人の顔をまじまじと見比べて、思わずプッと吹き出して笑ってしまう。
【００４５】
このように、本考案の第４の実施の形態によっても、名刺６を見た人の心を楽しくさせてなごませることにより、その人の心に余裕を持たせたり、その人の心を明るくしたりすることができる。このため、名刺６を使用して沢山の人にそれを見せた人は、皆に喜ばれて大歓迎されると共に、その行為が皆に受けて、上記有名人のように本当に人気者になることができる。
【００４６】
図５は、本考案の第５の実施の形態に係るラベル４（コミックシート部材）について説明するために参照する図である。
【００４７】
本考案の第５の実施の形態に係るラベル４は、その表面に、図５に示すような、可愛らしい２匹のネズミの絵が並んで表示されており、一方（図中右方）のネズミの顔はそれらしく描かれているが、その隣りの他方（図中左方）のネズミの顔には、ネズミの顔の代わりに、ラベル４を使用する人の似顔絵が描かれて表示されるようになっている。
【００４８】
このように、ラベル４を使用する人の似顔絵が、一方（図５中右方）のネズミの絵と隣合わせて表示された、他方（図５中左方）のネズミの顔として描かれることにより、ラベル４を使用する人の人柄や夢が、ネズミのイメージと結合されて、ラベル４を使用する人の人柄がネズミのように、例えば、ウォルトディズニーの著作に係るミッキーマウスのようにとても可愛らしいイメージとなり、その人の夢もとても可愛らしい印象を与えるものとなる。
【００４９】
そして、ラベル４に描かれた二匹のネズミのうちの他方（図５中左方）のネズミの顔には、そのラベル４を使用している人の似顔絵が描かれているので、このようなラベル４の他方のネズミの顔の中の似顔絵を見た人は、そのラベルを使用している人を良く知っている場合は、そのラベル４のネズミの顔の中の似顔絵と本人の顔をまじまじと見比べて、思わずプッと吹き出して笑ってしまう。
【００５０】
このように、本考案の第５の実施の形態によっても、ラベル４を見た人の心を楽しくさせてなごませることにより、その人の心に余裕を持たせたり、その人の心を明るくしたりすることができる。このため、ラベル４を使用して沢山の人にそれを見せた人は、皆に喜ばれて大歓迎されると共に、その行為が皆に受けて、上記有名人のように本当に人気者になることができる。
【００５１】
図６は、本考案の第６の実施の形態に係る名刺８（コミックシート部材）について説明するために参照する図である。
【００５２】
本考案の第６の実施の形態に係る名刺８は、その表面のほぼ中心部には、例えば、「幸福花子」などの名前を記載することができ、図６に示すように、その名刺８の下方の位置には、可愛らしい２匹のネズミの絵が並んで表示されている。
【００５３】
一方（図６中右方）のネズミの顔はそれらしく描かれているが、その隣りの他方（図６中左方）のネズミの顔には、ネズミの顔の代わりに、名刺８を使用する人の似顔絵が描かれて表示されている。
【００５４】
このように、名刺８を使用する人の似顔絵が、一方（図６中右方）のネズミの絵と隣合わせて表示された、他方（図６中左方）のネズミの顔として描かれることにより、名刺８を使用する人の人柄や夢が、ネズミのイメージと結合されて、名刺８を使用する人の人柄が、例えば、ウォルトディズニーの著作に係るミニーマウスのようにとても可愛らしいイメージとなり、その人の夢もとても可愛らしい印象を与えるものとなる。
【００５５】
そして、名刺８に描かれた二匹のネズミのうちの他方（図６中左方）のネズミの顔には、その名刺８を使用している人の似顔絵が描かれているので、このような名刺８の他方のネズミの顔の中の似顔絵を見た人は、その名刺８を使用している人を良く知っている場合は、その名刺８の他方のネズミの顔の中の似顔絵と本人の顔をまじまじと見比べて、思わずプッと吹き出して笑ってしまう。
【００５６】
このように、本考案の第６の実施の形態によっても、名刺８を見た人の心を楽しくさせてなごませることにより、その人の心に余裕を持たせたり、その人の心を明るくしたりすることができる。このため、名刺８を使用して沢山の人にそれを見せた人は、皆に喜ばれて大歓迎されると共に、その行為が皆に受けて、上記有名人のように本当に人気者になることができる。
【００５７】
図７，８は、本考案の第７の実施の形態に係る、縁起が良い絵が描かれた、例えば風呂敷やふくさのようなシート部材（コミックシート部材）について説明するために参照する図である。
【００５８】
本考案の第７の実施の形態に係るシート部材は、その表面に、図８に示すような、非常に縁起が良い「黄金富士男」の絵が描かれている。その「黄金富士男」の絵は、例えば、富士山のように高く積まれた大判，小判の山の上に立って、その大判，小判が全部自分のものであることを大変喜んでいる有様が描かれている。
【００５９】
図７に描かれている縁起が良い「黄金富士男」の絵は、富士山の頂上に立つ人の顔にはまだ、そのシート部材を使用する人の似顔絵が描き込まれていないが、その人がそのシート部材を注文して作ってもらうときに、その人は自分の顔が写っている写真を業者に渡し、その写真に基づいてプロのイラストレータが、図８に示すように、そのシート部材を使用する人の似顔絵を、富士山の頂上に立つ人の顔に描き込むようになっている。
【００６０】
このように、シート部材を使用する人の似顔絵が、富士山のように高く積まれた大判，小判の山の頂上に立つ人の顔に描き込まれることにより、その絵が描かれたシート部材を使用する人の人柄や夢が、縁起が良い絵のイメージと結合されて、シート部材を使用する人の人柄が非常に縁起が良いイメージとなり、その人の夢もとても縁起が良い印象を与えるものとなる。
【００６１】
このため、自分の似顔絵が描き込まれた縁起が良い絵が表示されたシート部材を使用することにより、使用した人の社会的地位を象徴する行為として名誉な地位を獲得することができ、そのようなステータスシンボルとしての地位を大きく飛躍させることができる。
【００６２】
図９，１０は、本考案の第８の実施の形態に係る、やはり縁起が良い絵が描かれた、例えば風呂敷やふくさのようなシート部材（コミックシート部材）について説明するために参照する図である。
【００６３】
本考案の第８の実施の形態に係るシート部材は、その表面に、図１０に示すような、非常に縁起が良い「黄金八福神」が施された「打ち出の小槌」の絵が描かれている。その「黄金八福神」は、例えば、縁起が良い七福神にもう１人の福の神が加わって、そのもう１人の福の神が自分（シート部材を使用する人）であることを大変喜んでいる有様が描かれている。
【００６４】
図９に描かれている縁起が良い「黄金八福神」の絵は、七福神と一緒にいる自分（シート部材を使用する人）の顔にはまだその人の似顔絵が描き込まれていないが、その人がそのシート部材を注文して作ってもらうときに、その人は自分の顔が写っている写真を業者に渡し、その写真に基づいてプロのイラストレータが、図１０に示すように、そのシート部材を使用する人の似顔絵を、七福神と一緒にいるその人の顔に描き込むようになっている。
【００６５】
このように、シート部材を使用する人の似顔絵が、七福神と一緒にいる自分（シート部材を使用する人）の顔に描かれることにより、その縁起が良い絵が描かれたシート部材を使用する人の人柄や夢が、縁起が良い絵のイメージと結合されて、シート部材を使用する人の人柄が非常に縁起が良いイメージとなり、その人の夢もとても縁起が良い印象を与えるものとなる。
【００６６】
このため、自分の似顔絵が描き込まれた縁起が良い絵が表示されたシート部材を使用することにより、使用した人の社会的地位を象徴する行為として名誉な地位を獲得することができ、そのようなステータスシンボルとしての地位を大きく飛躍させることができる。
【００６７】
なお、前記第１の実施の形態においては、本考案のコミックシート部材として、ラベルについて説明したが、厚さが適度に薄くて、表裏両面を有するシート状の部材であれば、ラベルに限定する必要は無く、例えば、シール、ワッペン、名刺、或は風呂敷やふくさ等の、他のどのようなものにも本考案は適用することができる。
【００６８】
また、本考案を名刺に適用する場合は、コミックシート部材としての、遊びで用いられるその性質から、仕事上の顧客には使えないかもしれないが、同僚や仲間同士の間で趣味的に遊びで使う分には十分にその機能を発揮できるものと思われる。
【００６９】
そして、本考案を名刺に使用する場合には、前記実施の形態では、図４，６に示すように、名刺６，８の片面に、図３，５に示すような図柄を小さくして表示し、名前や住所、電話番号等と共に同じ面に表示したが、図３，５に示す図柄と同じ図柄を名刺の一方の面に施し、他方の面に名前や住所、電話番号等を表示するようにしてもよい。
【符号の説明】
【００７０】
２，４    ラベル
６，８    名刺
【図１】
0003171939.tif 000003
【図２】
0003171939.tif 000004
【図３】
0003171939.tif 000005
【図４】
0003171939.tif 000006
【図５】
0003171939.tif 000007
【図６】
0003171939.tif 000008
【図７】
0003171939.tif 000009
【図８】
0003171939.tif 000010
【図９】
0003171939.tif 000011
【図１０】
0003171939.tif 000012